(57)【特許請求の範囲】
【請求項１】
筺体と、該筺体に回転自在に、且つ、往復移動自在に軸支した操作軸と、該操作軸後端側に配置したコイルバネとを備え、前記操作軸は導電性金属から形成され、該操作軸後端側に金属製のワッシャが設けられており、前記コイルバネの一端部が前記ワッシャに接触し、前記コイルバネの他端部が前記筺体に設けられた金属製の導通端子と導通接続されて、前記操作軸と前記導通端子との間が前記ワッシャと前記コイルバネを介して導電路が形成されており、前記コイルバネでタッチセンサ部の一部を構成して導通検出を行うと共に、前記コイルバネにより前記操作軸の軸方向の往復移動を行わしめたことを特徴とするタッチセンサ部構造。
【請求項２】
前記コイルバネを円錐台形状にしたことを特徴とする請求項１記載のタッチセンサ部構造。
【発明の詳細な説明】
【０００１】
【発明の属する技術分野】
本発明は、コイルバネでタッチセンサ部の導通検出が可能なタッチセンサ部構造に関する。
【０００２】
【従来の技術】
従来のタッチセンサ部構造を設けた磁気式角度検出装置として、例えば磁気エンコーダ部とプッシュスイッチ部とを共通の操作軸で動作させ、且つ、操作軸に操作者の指等が触ったことを検出するタッチセンサ部が付いたタッチセンサ部構造が本出願人より提案されている。このような従来のタッチセンサ部構造について図７〜図８に基づいて説明する。
図７は、磁気エンコーダ部１と、操作者の指等が触ったことを検出するためのタッチセンサ部２と、プッシュスイッチ部３とで主に構成されている。
【０００３】
前記磁気エンコーダ部１は合成樹脂製の筐体４を有し、この筐体４の上面中央部には軸受４ａが突出形成されている。この筐体４の内部には、磁性体５がバネ部材６を上面に取り付けて形成されて、後述する操作軸８に往復移動自在に軸支されている。また、前記バネ部材６は筐体４の内部の上面と接して、操作軸８にクリック感と回転トルクが出るようになっている。また、磁性体５はプラスチック・マグネット（プラマグ）を用いて、成型加工により円盤状に形成されて、外周面にＮ極、Ｓ極の複数の垂直磁場が交互に所定の極数が着磁されている。
そして、この磁性体５の外周面には所定ギャップＡを保って対向するホール素子７が、筐体１の内周壁に接着剤等で取り付けられて、磁気エンコーダ部１が構成されている。また、磁性体５の上面の中央部には、軸受５ａが突出形成されている。そして前記磁性体５の軸受５ａは、前記筐体４の軸受４ａの内部に回転自在に支持されている。
【０００４】
前記筐体４の軸受４ａには、操作軸８が回転自在に挿通されて軸支されると共に、その軸線方向にも往復移動自在に軸支されている。また、磁性体５の軸受５ａと操作軸８の嵌合部分は小判形状に形成されているので、操作軸８の往復移動は自在にでき、且つ、磁性体５は操作軸８の回転に追従して回転するようになっている。
そして、この操作軸８はアルミ等の導電性金属から形成されて、該操作軸８の後端部８ｂが後述するプッシュスイッチ部３のゴムスプリング１２の弾性力で上方に押されている。また、前記ゴムスプリング１２の弾性力で、操作軸８が筐体４から抜け出さないように、線バネ９と軸受４ａとで抜け止めされている。また、筐体４から外側の操作軸８の先端８ａにはアルミ等の導電性の金属ツマミ１０が止めネジ（図示せず）等で固定されて取り付けられている。
そして、筐体１１の中空部１１ｂに位置した操作軸８の後端８ｂには、前記タッチセンサ部２の接片２ａが接触して電気的に導通している。
この接片２ａは図８に示すように、操作軸８の後端８ｂの外周を２つの接片２ａで挟持して電気的に導通している。また、接片２ａは湾曲状でバネ性のあるリン青銅等の材料で、タッチセンサ端子２ｂと一体的に形成されている。そして、操作軸８の後端８ｂは、接片２ａの接点部２ｃと接触して、回転および、軸方向に往復移動自在になっていて、操作軸８に操作者の指等が触ったことを検出することができる。
【０００５】
次に、プッシュスイッチ部３は、合成樹脂製の筐体１１が形成されて、この筐体１１の上面には環状の突出部１１ａが中空部１１ｂを形成して設けられている。そして、この中空部１１ｂの下側に設けられた凹部に、プッシュスイッチ部３が収納されている。このプッシュスイッチ部３には、ゴムスプリング１２と、可動接点１３、固定接点１４等を内蔵して構成されている。そして、操作軸８を指等で押し下げると、該操作軸８の後端８ｂが、ゴムスプリング１２の頂上を押してゴムスプリング１２を変形させる。このゴムスプリング１２の変形によって、ゴムスプリング１２の頂上が可動接点１３を押し下げる。
このように、操作軸８の後端８ｂによって、可動接点１３を押し下げていくと、可動接点１３が固定接点１４に接触してスイッチオンとなる。次に操作軸８に加えていた指等の押圧力を解除すると、ゴムスプリング１２の弾性力により、復元力が働いて操作軸８が上方に押し上げられて、可動接点１３が固定接点１４から離れてスイッチオフとなるように構成されている。
このように構成されたタッチセンサ部構造を設けた磁気式角度検出装置は、磁気エンコーダ部１とタッチセンサー部２および、プッシュスイッチ部３を積層して、止め板１５により一体化されている。この止め板１５は、金属板等で形成されて図示しない脚部が筐体４の上面まで延び、且つ、上面から突出して形成され、この突出部分を折り曲げて２つの筐体４、１１を固定して、磁気エンコーダ部１とタッチセンサ部２および、プッシュスイッチ部３が一体化されている。
【０００６】
このように構成された従来のタッチセンサ部構造を設けた磁気式角度検出装置の、磁気エンコーダ部１は、操作軸８の回転によって、円盤状の磁性体５の外周に発生する複数の磁場の垂直成分の変化をホールＩＣ７が検知して、該ホールＩＣ７からパルス信号を外部に出力する。そして、このパルス信号の出力は、バネ部材６によって生じるクリック感に連動して前記ホールＩＣ７から出力され、このパルス信号の数によって操作軸８の回転角度が検出される。
そして、ホールＩＣ７が確実にパルス信号を発生するためには、ホールＩＣ７を筐体４に固定する位置を所定の位置にバラツキなく行なって、磁性体５の磁場の変化を正確に検知しなければならない。
しかし、従来のタッチセンサ部構造においては、ホールＩＣ７の筐体４への固定は、ホールＩＣ７を微少に動かしながら、磁性体５の垂直磁場のピークの場所を探して、その位置にホールＩＣ７を接着剤等で微調整しながら固定していた。そのために、円周方向、あるいは、上下方向の位置を定めるのに時間が掛かり、且つ、精度よく固定するのは難しかった。また、筐体４の内面とホールＩＣ７との間に接着材等が侵入してギャップＡの寸法も定まらなかった。
【０００７】
そのために従来のタッチセンサ部構造を設けた磁気式角度検出装置においては、ホールＩＣ７の円周方向の位置ズレや、磁性体５の外周面とホールＩＣ７との間のギャップＡの寸法バラツキにより、磁性体５から発生する磁場の垂直成分の変化の検出精度が低下し、操作軸８を回転させても、クリック感に連動して、ホールＩＣ７から正確なパルス信号を発生することができなくて、操作軸２の適正な回転角度を検出することができない問題があった。
【０００８】
また、タッチセンサ部２は、上述したように操作軸８の先端８ｂの外周を、センサ端子２ｂの接片２ａが、回転および往復移動自在に狭持しているが、接片２ａはプレス等により加工されているので、２つの接片２ａ間の寸法バラツキ等で操作軸８への圧接力がバラツキ、操作軸８と電気的接続が不安定になったりしていた。
また、操作軸８の後端８ｂを２つの接片２ａが圧接して狭持しているので、操作軸８のツマミ１０を押圧して、操作軸８を上下に往復移動させて、プッシュスイッチ部３を操作する場合、接片２ａも操作軸８の上下の往復移動に追従して動こうとする力が働き、接点部２ｃの接触状態が不安定になり、操作者の指等が触ったことを検出するタッチセンサ部２の働きが不安定になるという問題があった。
【０００９】
【発明が解決しようとする課題】
従来のタッチセンサ部構造によれば、タッチセンサ部２において、操作軸８の後端８ｂを２つの接片２ａが圧接して狭持しているので、操作軸８を上下に往復移動させて、プッシュスイッチ部３を操作する場合、接片２ａも操作軸８の上下の往復移動に追従して動こうとする力が働き、接点部２ｃの接触状態が不安定になり、操作者の指等が触ったことを検出するタッチセンサ部２の働きが不安定になるという問題があった。
そのために、本発明は、タッチセンサによる人の指等が触ったことの検出を確実に行うことができる精度の高いタッチセンサ部構造を提供することを目的にしている。
【００１０】
【課題を解決するための手段】
前記課題を解決するための第１の手段として、本発明のタッチセンサ部構造は、筺体と、該筺体に回転自在に、且つ、往復移動自在に軸支した操作軸と、該操作軸後端側に配置したコイルバネとを備え、前記操作軸は導電性金属から形成され、該操作軸後端側に金属製のワッシャが設けられており、前記コイルバネの一端部が前記ワッシャに接触し、前記コイルバネの他端部が前記筺体に設けられた金属製の導通端子と導通接続されて、前記操作軸と前記導通端子との間が前記ワッシャと前記コイルバネを介して導電路が形成されており、前記コイルバネでタッチセンサ部の一部を構成して導通検出を行うと共に、前記コイルバネにより前記操作軸の軸方向の往復移動を行う構成とした。
また、前記課題を解決する第２の手段として、前記コイルバネを円錐台形状にした構成とした。
【００１１】
【発明の実施の形態】
以下、本発明のタッチセンサ部構造を設けた磁気式角度検出装置に付いて、図１〜図６を参照して実施の形態について説明する。また、従来と同一の部材は同一の符号で示す。
図１に示す本発明のタッチセンサ部構造を設けた磁気式角度検出装置は、磁気エンコーダ部２０と、操作者の指等が触ったことを検出するためのタッチセンサ部２１と、プッシュスイッチ部２２とで主に構成されている。
【００１２】
前記磁気エンコーダ部２０は、合成樹脂製の筐体２３と、磁性体２４と、磁気検出装置からなるホールＩＣ２５とからなっている。前記筐体２３は図１・２に示すように、上部を蓋閉する側板２３ａと、該側板２３ａの外周側に円筒状の側板２３ｅが形成されて、前記側板２３ａの外側中央部には軸受２３ｂが突出形成されて操作軸８が回転と往復移動自在に嵌合している。
そして、この側板２３ａの内側の面には、凹凸面２３ｃと平坦面２３ｄが形成されている。また、筐体２３の外周を覆う円筒状の側板２３ｅの内側の所定の位置に、くさび状のホールＩＣ嵌合溝２３ｆが軸線方向に所定の深さで設けられている。そして、このホールＩＣ嵌合溝２３ｆは、前記磁性体２４の外周面と対向する面の軸線方向に開口部２３ｊを設けて、該開口部２３ｊの幅を内部の幅より狭くした、くさび状に形成されている。また、前記ホールＩＣ嵌合溝２３ｆは、ホールＩＣを挿入する入り口周辺の角部には面取りが施されていて、ホールＩＣ２５を挿入するときの抵抗を少なくするために、平面の壁には凹部２３ｇを設けている。
【００１３】
また、磁性体２４は材料がプラスチック・マグネット（プラマグ）で、成型加工により円盤状に形成されて、外周側面に磁気コードが、Ｎ極、Ｓ極の複数の磁極が交互に所定の極数、平行に上面から下面に達する範囲で着磁されている。
また、前記磁性体２４の外周側面の磁気コードは軸方向の線上では同一の磁界強度になるように着磁されている。
また、磁性体２４の水平方向の動きを規制する規制部が、筐体２３と磁性体２４に形成されている。そしてこの規制部は、磁性体２４の上面の中央部に軸受２４ａが突出形成され、また、該軸受２４ａは、前記筐体２３の軸受２３ｂの中空内部にガタのない状態で回転自在に支持されて、磁性体２４の水平方向の動きを規制している。
また、磁性体２４の上面にはバネ部材６がバネ部６ａ・６ｂを形成して取り付けられている。そして、バネ部６ａは前記筐体の凹凸面２３ｃと接してクリック感を出し、バネ部６ｂは前記筐体の平坦面２３ｄと接して回転トルクを出すようになっている。また、この磁性体２４の外周面には所定ギャップＢを保って、ホールＩＣ２５が前記筐体２３の、くさび状のホールＩＣ嵌合溝２３ｆに挿入されて位置決めされている。この、ホールＩＣ２５の筐体への固定は、前記ホールＩＣ嵌合溝２３ｆに圧入あるいは、後述するプッシュスイッチ部２２を構成する筐体２６によって押圧し固定している。
また、磁性体２４も、後述する筐体２６により、バネ部材６の２つのバネ部６ａ、６ｂが、前記筐体２３の凹凸面２３ｃ、平坦面２３ｄ側に押圧されて、バネ部材６の作用により、クリック感と回転トルクを出すようにして本発明の磁気エンコーダ部２０が構成されている。
【００１４】
前記筐体２３の軸受２３ｂと磁性体２４の軸受２４ａには、操作軸８が挿通されて軸支されている。前記軸受２３ｂと操作軸８は、回転自在に挿通されて、且つ、その軸線方向にも往復移動自在に軸支されている。そして、磁性体２４の軸受２４ａと操作軸８の嵌合部分は、小判形状に形成されているので、操作軸８の往復移動は自在にでき、且つ、磁性体２４は、操作軸８の回転に追従して回転するようになっている。
また、この操作軸８はアルミ等の非磁性で導電性金属から形成されて、後述するタッチセンサ用バネ２７と、プッシュスイッチ部２２のゴムスプリング１２の弾性力により、常に上方に押し上げられている。また、操作軸８が筐体２３から抜け出さないように、線バネ９と軸受２３ｂとで抜け止めされて軸受２３ｂに軸支されている。
また、筐体から外部に出ている操作軸８の先端８ａには、アルミ等の導電性の金属ツマミ１０が止めネジ（図示せず）等で固定されて取り付けられている。また、操作軸８の後端８ｂは、後述するタッチセンサ部２１と、プッシュスイッチ部２２を構成する筐体２６に形成された中空部２６ｂを貫通してゴムスプリング１２の頂上と接している。
【００１５】
また、本発明のタッチセンサ部構造のタッチセンサ部２１は、合成樹脂等で形成する筐体２６の上面の環状の突出部２６ａに囲まれた中空部２６ｂの内部に形成されている。そして、この中空部２６ｂには、操作軸８の後端８ｂに金属製のワッシャ２８を挿入し、図５に示す円錐台形状のコイルバネで作られたタッチセンサ用バネ２７の、外径が小さい方の上部バネ２７ａが、前記ワッシャ２８に接触して電気的に導通している。
また、タッチセンサ用バネ２７の下部バネ２７ｂは、金属製の導通端子２９の平坦面に載置されて、その下面２７ｂの外径を、筐体２６の中空部２６ｂでガイドされて、外部からの振動等が加わっても、タッチセンサ用バネ２７と導通端子２９が接触不安定にならないようにしている。
【００１６】
次に、プッシュスイッチ部２２は、前記筐体２６の下面に、凹部２６ｃが形成されて、該凹部２６ｃに図示しない金具によって、前記筐体２６と一体化されて取り付けられている。
このプッシュスイッチ部２２はゴムスプリング１２と、可動接点１３、固定接点１４等を内蔵して構成されている。
そして、操作軸８のツマミ１０を下方に押すと、前記操作軸８は下にさがり、操作軸８の後端８ｂが、ゴムスプリング１２を変形させながら可動接点１３を押し下げていく。そして、可動接点１３が固定接点１４に接触してスイッチオンの状態になる。次に操作軸８の押圧力が解除されると、可動接点１３が固定接点１４から離れてスイッチオフの状態になるように構成されている。
このような構成の、磁気エンコーダ部２０とタッチセンサ部２１および、プッシュスイッチ部２２を積層して、止め板３０により一体化して、本発明のタッチセンサ部構造を設けた磁気式角度検出装置が構成されている。
【００１７】
次に、本発明のタッチセンサ部構造を設けた磁気式角度検出装置の組立について説明すると、まず、図１において、図１を逆さにした状態で、図示しない治具に操作軸８の先端８ａを固定し、この操作軸８に筐体２３の軸受２３ｂの穴を貫通させる。その後、図示しない治具により線バネ９を操作軸８の溝部に挿入して操作軸８は筐体２３の軸受２３ｂから抜け止めされる。
次に、バネ部材６が取り付けられた磁性体２４の、軸受２４ａの小判形状の穴に、前記操作軸８の後端８ｂを挿入し、且つ、操作軸８の両面落とし部８ｃに軸受部２４ａの小判形状の穴を嵌合させると、磁性体２４は操作軸８と一体的に回転し、且つ、操作軸８が軸線方向に往復移動するように軸支される。
【００１８】
次に、図４のホールＩＣ２５を、図３に示す筐体２３の、くさび状のホールＩＣ嵌合溝２３ｄの入り口に、ホールＩＣ２５の頭部２５ｂを載せる。この状態でホールＩＣ２５の底面２５ｃを図示しない治具等により押圧し、ホールＩＣ２５をホールＩＣ嵌合溝２３ｆの位置決め面２３ｈに、ホールＩＣ２５の頭部２５ｂが突き当たるまで押し込む。すると、ホールＩＣ２５は所定の位置に、且つ、磁性体２４の外周面と適正なギャップＢが形成されて固定される。
【００１９】
次に、操作軸８の後端８ｂにワッシャ２８を挿入し、その後、円錐台形状のタッチセンサ用バネ２７の外径の小さい方の上面２７ａを、操作軸８の後端８ｂから挿入して、前記ワッシャ２８にタッチセンサ用バネ２７を取り付ける。
そして、この状態に、プッシュスイッチ部２２が凹部２６ｃに収納されている筐体２６を、図示しない位置決め部、あるいは、位置決め治具により、筐体２３に位置決めしてかぶせる。このとき、前記タッチセンサ用バネ２７は、外径が大きい下面２７ｂが、筐体２６の中空部２６ｂの内部に隙間なくガイドされて、導通端子２９の平坦部に圧接されて、タッチセンサ部２２が形成される。
また、ホールＩＣ２５の底面２５ｃに筐体２６の上面部が圧接して配置し、前記ホールＩＣ２５が上下間でほとんど動かないようになる。
そして、筐体２３の前面に仮止めされた、止め板３０の図示しない脚部が筐体２６の後側面から突出して、この図示しない突出部を折り曲げて磁気エンコーダ２０、タッチセンサ部２１、プッシュスイッチ２２を積層して組み立てられている。
【００２０】
このように組み立てられた本発明のタッチセンサ部構造を設けた磁気式角度検出装置の一使用例を説明すると、図示しない回路基板上に実装されて、例えばオーディオミキサーの音量調整やバランス調整等に用いられて、操作者がツマミ１０に触れていない時は、制御部は自動操作状態を設定し、音量調整とバランス調整は予めメモリ回路に記憶された内容に基づいて自動的に行われる。一方操作者の指等がツマミ１０に触れると、操作軸８とタッチセンサ用バネ２７を介して、ツマミ１０と導通端子２９の間に導電路が形成され、操作者がツマミ１０に触れたことを検出し、図示しない制御部は前記検出に基づいて手動操作状態を設定し、音量調整とバランス調整は手動操作状態に切り替わる。
この状態で、操作者がツマミ１０を回転操作すると、ツマミ１０の回転に連動して磁性体２４が回転し、この磁性体２４の回転をホールＩＣ２５が検知して、ツマミ１０の回転角度に対応するパルス信号が出力されて、このパルス信号に基づいて音量が調整され、ツマミ１０を押圧しながら回転させた場合は、プッシュスイッチ２２がオフからオンに切り替わり、ホールＩＣ２５から出力されるパルス信号に基づいてバランスが調整される。
【００２１】
このような実施の形態においては、筐体２３の側板２３ｅの内側に形成されたホールＩＣ嵌合溝２３ｆに、ホールＩＣ２５を嵌合することで、常に筐体２３の水辺面の一定の位置にホールＩＣ２５を固定できる。
また、磁性体２４は水平方向の動きを規制する規制部からなる軸受２４ａが筐体２３の軸受２３ｂの内部で確実にガイドされるので、水平方向の動きがなく磁性体２４とホ−ルＩＣ２５のギャップＢが特別の調整することなく常に一定に保たれ安定した所定の出力を得ることができる。なお、仮に磁性体２４が上下方向にズレたとしても、磁性体２４の外周側面の磁気コードのそれぞれの磁極は、磁性体２４の上面から下面に達する範囲で着磁され軸方向で同一の磁界強度になるように設けているので、前記パルス信号の出力が変化することはない。
また、前記磁性体２４の位置決めは、磁性体２４の水平方向の動きを規制する規制部の一箇所だけで行うので、前記ギャップＢを更に精度よく確保することができる。
また、筐体２３を加工する金型構造は、前記規制部を構成する筐体２３の軸受２３ｂの中空内部の部分と、ホールＩＣ嵌合溝２３ｆの部分とを、金型の同一面側である可動側に設けることができるので、成型加工時の固定側と可動側の合わせズレ等の影響がないので、筐体２３の前記ギャップＢを構成する部分の寸法精度を良くできる。
また、バネ部材６を取り付けた磁性体２４を操作軸８に組み込むときに、同一治具上で同一方向から、ホールＩＣ２５も筐体２３のホールＩＣ嵌合溝２３ｆに圧入または、挿入することができるので、組み立て作業時間が短縮でき、本発明のタッチセンサ部構造を設けた磁気式角度検出装置のコスト低減が可能になる。また、操作軸８に人が触ったかどうかを検知する本発明のタッチセンサ部構造は、タッチセンサ部２１の接点部分に、タッチセンサ用バネ２７を使って、常時、操作軸先端８ｂから操作軸８に対して一定圧力接するようにしたので、人がツマミ１０に触ったかどうかを、常に精度よく検知できる。
また、このタッチセンサ用バネ２７を円錐台形状にしたので、図５に示すように、（Ａ）の状態で矢印方向から圧縮力を加えると、外径の大きい下部バネ２７ｂより、外径の小さいａの部分のバネ部が、下部バネ２７ｂの内径に、もぐり込んで前記タッチセンサ用バネ２７を最大に圧縮したときは、図５の（Ｂ）に示すように、平面状になる。そのために、本発明のタッチセンサ用バネ２７によれば、下部バネ２７ｂのコイル径の寸法まで、圧縮できるので操作軸８の往復移動距離であるストロークが小さいスペースの中でも大きく取れる。そのために、プッシュスイッチ部２２に内蔵されたゴムスプリング１２のストロークと同等か、それ以上のストロークが取れるので、確実にプッシュスイッチ部２２のオン／オフを行うことができる。
また、下部バネ２７ｂの外径を大きくすることで、タッチセンサ部２２の導通端子２９の平坦部の操作軸８が貫通する穴２９ａを大きく形成できるので、操作軸８の後端８ｂと導通端子２９との間にゴミ等が侵入しても、ノイズの発生等の問題をなくすることができる。
なお、本実施例においては操作軸８と磁性体２４を別体で形成したが、一体で形成してもよい。
【００２２】
【発明の効果】
以上説明したように、本発明のタッチセンサ部構造によれば、操作軸後端部にタッチセンサ用バネを配置して、タッチセンサ部の導通検出と、操作軸の往復移動の力を１つのバネで兼ねる構成としたので、操作軸が軸方向に往復移動しても、操作軸に追従してタッチセンサ用バネが撓むので、常に安定した接触が得られ、且つ、部品点数の少ないタッチセンサ部構造を提供できる。
【００２３】
また、前記タッチセンサ用バネを円錐台形状にしたので、外径が大きい下部パネのコイル寸法まで、平面上に圧縮できるので操作軸のストロークが大きく取れ、確実にプッシュスイッチ部のオン／オフを行うことができる。
また、前記タッチセンサ用バネを円錐台形状にして、下部バネの外径を、上部バネの外径より大きくしたので、タッチセンサ用バネの下部バネが接触する導通端子の平坦部の、操作軸が貫通する穴を大きく形成できる。そのために、操作軸の後端と導通端子の間にゴミ等が侵入しても、ノイズ発生等の問題をなくすることができる。
【図面の簡単な説明】
【図１】本発明のタッチセンサ部構造を設けた磁気式角度検出装置の要部断面図。
【図２】本発明のタッチセンサ部構造の磁気エンコーダ側の筐体の平面図。
【図３】本発明のタッチセンサ部構造の、磁性体とホールＩＣとを組み込んだ平面図。
【図４】本発明のタッチセンサ部構造の、ホールＩＣの斜視図。
【図５】本発明のタッチセンサ部構造のタッチセンサ用バネの側面図。
【図６】本発明のタッチセンサ部構造の操作軸を押したときの要部断面図。
【図７】従来のタッチセンサ部構造の要部断面図。
【図８】従来のタッチセンサ部構造のタッチセンサ部の概略図
【符号の説明】
１  従来の磁気エンコーダ部
２  従来のタッチセンサ部
２ａ  接片
３  プッシュスイッチ部
４  従来の筐体
５  従来の磁性体
５ａ  軸受
６  バネ部材
７  従来のホールＩＣ
８  操作軸
９  線バネ
１０  ツマミ
１１  筐体
１２  ゴムスプリング
１３  可動接点
１４  固定接点
１５  止め板
２０  本発明の磁気エンコーダ部
２２  本発明のプッシュスイッチ部
２３  筐体
２３ｆ  ホールＩＣ嵌合溝
２４  磁性体
２５  ホールＩＣ
２６  筐体
２７  タッチセンサ用バネ
２８  ワッシャ
２９  導通端子
３０  止め板
【図１】
0003847684.tif 000002
【図２】
0003847684.tif 000003
【図３】
0003847684.tif 000004
【図４】
0003847684.tif 000005
【図５】
0003847684.tif 000006
【図６】
0003847684.tif 000007
【図７】
0003847684.tif 000008
【図８】
0003847684.tif 000009